(57)【要約】【課題】保持した傘を車内の床上に立てて両手を自由にしても傘が倒れない傘保持具が望まれている。【解決手段】この傘保持具１ｃは、リング内空間２７に挿通された傘を保持する保持リング体２と、ズボンなどを挟持する挟み片３０Ａ，３０Ｂを有する挟み具３と、を有して成るものであって、挟み具３の一方の挟み片３０Ｂに、保持リング体２が一方の挟み片３０Ｂの２カ所で固定構造４ｃにより固定されている。固定構造４ｃはボルト部５６とナット部５５を備えている。保持リング体２の内周長を可変に設定する内周長可変構造５を備えている。保持リング体２は、ループ部５Ａと、ループ部５Ａに係脱自在に係止される鉤部５Ｂとを有して成る面ファスナ２１で構成され、内周長可変構造５は面ファスナ２１のループ部５Ａおよび鉤部５Ｂで構成されている。【選択図】図１１
2017079987.tif 000002
【特許請求の範囲】
【請求項１】
リング内空間に挿通された傘を保持する保持リング体と、ズボンなどを挟持する挟み片を有する挟み具と、を有して成る傘保持具であって、前記挟み具の一方の挟み片における少なくとも２カ所で又は直線状に連続する部位で前記保持リング体を固定する固定構造を備えていることを特徴とする傘保持具。
【請求項２】
前記挟み具の挟み片が、ズボンなどを挟持する挟み部と、指などで摘まれる摘み部とを一体に連結して形成され、前記固定構造が前記一方の挟み片の挟み部と摘み部とに設けられている請求項１に記載の傘保持具。
【請求項３】
前記挟み部が前記挟み片の一体連結方向と直角の方向に長く形成され、前記保持リング体が当該リング周方向を前記挟み片の一体連結方向に沿う向きにして前記固定構造により前記一方の挟み片に固定されている請求項１または請求項２に記載の傘保持具。
【請求項４】
前記保持リング体の内周長を可変に設定する内周長可変構造を備えている請求項１から請求項３までのいずれか一項に記載の傘保持具。
【請求項５】
前記保持リング体が、ループ部と、当該ループ部に係脱自在に係止される鉤部とを有して成る面ファスナで構成され、前記内周長可変構造が前記面ファスナのループ部および鉤部で構成されている請求項４に記載の傘保持具。
【請求項６】
前記固定構造が、前記一方の挟み片に貫通して形成された第１穴部と、前記保持リング体に貫通して形成された第２穴部と、前記第１穴部および前記第２穴部を通されるボルト体と、前記第１穴部および前記第２穴部を通された前記ボルト体に螺止されるナット体と、から成る２以上の固定部で構成されている請求項１から請求項５までのいずれか一項に記載の傘保持具。
【請求項７】
前記保持リング体が、当該外周面に線長手方向に所定間隔で複数の係止用突起が形成されていて可撓性を有する線条体と、当該線条体の一端部に形成されていて前記線条体および前記係止用突起を挿通可能で、且つ、前記係止用突起を係脱自在に係止する係止用穴部とを有して成るバンド部材で構成され、前記内周長可変構造が前記バンド部材の係止用突起および係止用穴部で構成されている請求項４に記載の傘保持具。
【発明の詳細な説明】
【技術分野】
【０００１】
本発明は、保持リング体に保持させた傘を電車内などの床上に立てた状態にしても両手を自由にすることのできる傘保持具に関するものである。
【背景技術】
【０００２】
従来、この種の傘保持具としては、例えば下記の特許文献１に記載されたものが知られている。この傘保持具は、傘を挟むクリップ部材と、利用者のズボンなどを挟む挟み止め具と、クリップ部材と挟み止め具とをつなぐ紐状部材と、から構成されている。この傘保持具によれば、クリップ部材で傘を保持し挟み止め具でズボンなどを挟むから、電車内などで傘の石突を床上に置いて傘から両手を離しても傘は直立していると云われている。
しかしながら、この傘保持具では、クリップ部材と挟み止め具が変形自在の紐状部材を介して連結されているので、クリップ部材と挟み止め具との相対位置が変わり得るし、近づいたり離れたりするのも自由である。そのために、床上に立てられた傘の姿勢が大きく変わりやすく、ひいては石突が床上を滑って逃げて行き、他者の足元まで達するおそれがある。
【０００３】
また、特許文献２に記載の傘保持具は、縦向きに配置された竪基板と、竪基板前面の上下２カ所に設けられて傘が挿通される上下１対の環状体と、竪基板背面の上下２カ所に設けられて利用者の下腿部などに巻き付けられる面ファスナ製のベルト体と、から構成されている。
この傘保持具では、上下２カ所で装着・取外しがなされるから、傘の保持および下腿部への取り付けは確実になるが、２カ所での取り扱いが面倒であり手間がかかる。また、大判の竪基板を用いているので、器具全体が嵩張るために携帯性に難があり見栄えも芳しくない。
【先行技術文献】
【特許文献】
【０００４】
【特許文献１】登録実用新案第３１９９８５８号公報
【特許文献２】特開２０１１−１７７４８１号公報
【特許文献３】登録実用新案第３１９４８２３号公報
【発明の概要】
【発明が解決しようとする課題】
【０００５】
そこで、特許文献３に記載されたような傘保持具が提案されている。この傘保持具は、傘の胴部に巻き付けて固定する線条製の傘保持部と、利用者の足や持ち物に巻き付けて固定する線条製の取付固定部と、これらの傘保持部と取付固定部とを回動自在に連結するジョイント部と、から構成されている。
この傘保持具では、傘保持部と取付固定部とが近くに配置され、傘保持部が傘に巻かれて傘を保持するとともに取付固定部が利用者の足などに巻かれて固定するようになっている。しかしながら、傘保持部と取付固定部とがジョイント部を介して回動自在に連結されているために、確りと保持されている傘であっても足などに対しては揺動し得るので、傘の石突が電車の床上を滑って利用者から逃げ、石突が他者の足に当たって迷惑を及ぼすおそれがある。また、傘を保持した傘保持部とズボンを掴んだ取付固定部との向き調整も必要となり、煩わしい。
【０００６】
本発明は、上記した従来の問題点に鑑みてなされたものであって、簡素な構成でありながら、保持した傘を車内の床上に立てて両手を自由にしても傘が倒れない傘保持具の提供を目的とする。
【課題を解決するための手段】
【０００７】
上記目的を達成するために、本発明に係る傘保持具は、リング内空間に挿通された傘を保持する保持リング体と、ズボンなどを挟持する挟み片を有する挟み具と、を有して成る傘保持具であって、前記挟み具の一方の挟み片における少なくとも２カ所で又は直線状に連続する部位で前記保持リング体を固定する固定構造を備えていることを特徴とする構成にしてある。
【０００８】
また、前記構成に加えて、挟み具の挟み片が、ズボンなどを挟持する挟み部と、指などで摘まれる摘み部とを一体に連結して形成され、固定構造が一方の挟み片の挟み部と摘み部とに設けられているものである。
【０００９】
そして、前記した各構成に加えて、挟み部は挟み片の一体連結方向と直角の方向に長く形成され、保持リング体が当該リング周方向を挟み片の一体連結方向に沿う向きにして固定構造により一方の挟み片に固定されているものである。
【００１０】
また、前記した各構成に加えて、保持リング体の内周長を可変に設定する内周長可変構造を備えているものである。
【００１１】
そして、前記した請求項４の構成において、保持リング体が、ループ部と、当該ループ部に係脱自在に係止される鉤部とを有して成る面ファスナで構成され、前記内周長可変構造が前記面ファスナのループ部および鉤部で構成されているものである。
【００１２】
また、前記した各構成において、固定構造が、一方の挟み片に貫通して形成された第１穴部と、保持リング体に貫通して形成された第２穴部と、第１穴部および第２穴部を通されるボルト体と、第１穴部および第２穴部を通されたボルト体に螺止されるナット体と、から成る２以上の固定部で構成されているものである。
【００１３】
更に、前記した請求項４の構成において、保持リング体が、当該外周面に線長手方向に所定間隔で複数の係止用突起が形成されていて可撓性を有する線条体と、当該線条体の一端部に形成されていて前記線条体および前記係止用突起を挿通可能で、且つ、前記係止用突起を係脱自在に係止する係止用穴部とを有して成るバンド部材で構成され、前記内周長可変構造が前記バンド部材の係止用突起および係止用穴部で構成されているものである。
【発明の効果】
【００１４】
本発明に係る傘保持具によれば、挟み具の一方の挟み片の少なくとも２カ所で又は直線状に連続する部位で、保持リング体が一方の挟み片に直に接した状態で固定構造により固定されているので、挟み片と保持リング体との固定状態が強固になる。これにより、保持リング体が挟み具に対して揺れ動きにくいから、保持リング体に保持された傘も揺れにくくなる。そうして、保持リング体に保持された傘の石突を床上に置くと、この石突と、傘保持具の挟み具の少なくとも２点と、を合わせた３点以上の支持になるため、傘の支持状態の安定性が極めて高くなる。これにより、保持した傘を電車などの床上に立てて両手を離しても、傘の姿勢は変わらず傘の滑り転倒を防ぐことができる。その結果、利用者自身はもとより近隣の他者に迷惑をかけることを回避できる。一方、この傘保持具を用いれば、立って乗車している利用者でも、ズボンなどに挟みつけて傘を直立に保持することができ、両手を自由に使うことができる。
【００１５】
また、固定構造が一方の挟み片の挟み部と摘み部とに設けられているものでは、離れた２点の位置で保持リング体が固定されるので、保持リング体に対する固定状態が強固になり保持リング体のグラつきが小さくなる。そして、固定構造の一方が挟み部に在ることも併せて、挟み部でズボンなどを挟んだときに、挟み部の間近に在るズボンなどに対し保持リング体は離間しにくくなって確りとしている。これにより、保持リング体に保持されている傘は、床上に立てられてもブラブラすることがなく安定に直立している。このように傘が安定に直立している限り、ズボンなどに接する傘胴部の部位は小さいから、ズボンなどは支障を生じるほどに濡れないのである。
【００１６】
そして、挟み片の挟み部が挟み片の一体連結方向と直角の方向に長く形成され、保持リング体が挟み片の一体連結方向に沿う向きで固定されているものでは、保持リング体のリング内空間内に装入して保持させた傘を床上などに立てると、保持リング体はそのリング周方向が水平方向を向き、保持リング体と直角向きの挟み部はその長手方向が垂直方向を向く。これにより、座っている利用者の下腿部と挟み部が平行になるから、ズボンなどを簡単に挟みやすくすることができる。一方で、このようにしてズボンなどに止めると、挟み片および保持リング体の介在により傘がズボンなどから少し離れているし、傘が安定に立っている限りは、ズボンなどをほとんど濡らさない。
【００１７】
また、保持リング体の内周長を可変に設定する内周長可変構造を備えているものでは、リング内空間に装入された傘の胴部の外周長に応じて、保持リング体の内周長を変えられるので、内周長をしぼめた保持リング体で傘の胴部を確りと掴んで保持することができる。
【００１８】
そして、保持リング体が、ループ部と鉤部とを有して成る面ファスナで構成され、内周長可変構造が面ファスナのループ部および鉤部で構成されているものでは、ループ部と鉤部とを簡単かつ確実に係脱させて係止位置を調整できるので、
内周長の可変操作を容易に行なうことができる。また、極めて安価な面ファスナだけで保持リング体および内周長可変構造の双方に兼用させることができる。
【００１９】
また、固定構造が、一方の挟み片に貫通して形成された第１穴部と、保持リング体に貫通して形成された第２穴部と、第１穴部および第２穴部を通されるボルト体と、第１穴部および第２穴部を通されたボルト体に螺止されるナット体と、から成る２以上の固定部で構成されているので、安価で入手容易なボルト体およびナット体により、比較的強固に保持リング体を挟み具に固定することができる。特に、面ファスナ製の保持リング体と、ボルト体およびナット体との組み合わせは、コンパクトで見栄えが良く、商品化するに好適な傘保持具を提供することができる。
【００２０】
更に、保持リング体が、線条体と係止用穴部とを有するバンド部材で構成され、内周長可変構造がバンド部材の係止用突起および係止用穴部で構成されているものでは、簡素、安価な構成かつ入手容易なバンド部材を使用できるので、完成品がシンプルな外観かつ軽量となり、組み立てが簡単で安価な傘保持具を提供することができる。そして、このバンド部材も保持リング体および内周長可変構造の双方として兼用できる。
【図面の簡単な説明】
【００２１】
【図１】本発明の一実施形態に係る傘保持具の斜視図である。
【図２】前記傘保持具の平面図である。
【図３】前記傘保持具の挟み具の挟み部を開いた状態の正面図である。
【図４】前記傘保持具の一部断面を含む側面図である。
【図５】前記傘保持具を各部品に分解して展開した状態を示す平面図である。
【図６】前記傘保持具の保持リング体に傘などを装入して保持させる態様を示す説明図である。
【図７】傘を保持した前記傘保持具をズボンなどに挟持させる態様を示す使用態様図である。
【図８】本発明の別の実施形態に係る傘保持具の一部断面を含む側面図である。
【図９】本発明の他の実施形態に係る傘保持具の一部断面を含む側面図である。
【図１０】本発明の最良の実施形態に係る傘保持具の斜視図である。
【図１１】前記最良の傘保持具の一部断面を含む側面図である。
【図１２】前記最良の傘保持具の保持リング体を展開した状態を示す底面図である。
【発明を実施するための形態】
【００２２】
本発明の実施形態を図面に基づいて説明する。尚、以下に述べる実施形態は本発明を具体化した一例に過ぎず、本発明の技術的範囲を限定するものでない。図１は本発明の一実施形態に係る傘保持具の斜視図、図２は前記傘保持具の平面図、図３は前記傘保持具の挟み部を開いた状態の正面図、図４は前記傘保持具の一部断面を含む側面図である。
各図において、この実施形態に係る傘保持具１は、ズボン（図７参照）などを挟む１対の挟み片３０Ａ，３０Ｂを有する挟み具３と、リング内空間２７内に装入された傘の胴部を保持する保持リング体２と、一方の挟み片３０Ｂにおける片面の前後方向（本発明で言うところの一体連結方向）の２カ所で保持リング体２を固定する固定構造４と、から構成されている。
【００２３】
前記の保持リング体２は長尺帯状の面ファスナ２１で構成されている。面ファスナ２１は、例えばトラスコ中山社製の製品マジックバンド結束テープ：ＭＫＴ−２０１５が用いられる。この面ファスナ２１は、基布２１Ｃの片面に無数のループ部５Ａ，５Ａ，５Ａ，・・・が設けられ、基布２１Ｃの反対面には前記のループ部５Ａ，５Ａ，５Ａ，・・・に係脱自在に係止される鉤部５Ｂ，５Ｂ，５Ｂ，・・・が設けられている。例えば、基布２１Ｃはナイロン製織布であり、ループ部５Ａはループ高さが０．８ｍｍ程度のナイロンフィラメントであり、鉤部５Ｂは鉤高さが０．５ｍｍ程度のポリプロピレン製である。この傘保持具１は、保持リング体２の内周長を可変に設定する内周長可変構造５を備えている。すなわち、この内周長可変構造５は、面ファスナ２１のループ部５Ａと鉤部５Ｂとから構成されている。この保持リング体２は常に環状になっているものでなく、長尺帯状の形態にもなる。そして、一方の切断端部２１Ｂが他方の切断端部２１Ａに重ね合わせられることにより、ループ部５Ａ，５Ａ，５Ａ，・・・と鉤部５Ｂ，５Ｂ，５Ｂ，・・・が係合して、リング内空間２７を有する保持リング体２が形成される。尚、切断端部２１Ｂ側の面ファスナ２１の長さが余っているときは、余巻き部２５として巻いておくとよい。
【００２４】
前記の挟み具３は、合成樹脂製で１対の挟み片３０Ａ，３０Ｂと、対面した挟み片３０Ａ，３０Ｂを揺動自在に枢支する枢支軸１０と、枢支軸１０に装着されていて挟み片３０Ａ，３０Ｂの挟み部６Ａ，６Ｂを常時閉じさせる方向（図４中の矢印Ｄ方向）に弾性付勢するコイルバネ１１と、から構成されている。挟み片３０Ａ，３０Ｂは、一端側の挟み部６Ａ，６Ｂと、挟み部６Ａ，６Ｂに一体的に連結して成型されている他端側の摘み部７Ａ，７Ｂと、中央部に立設された軸受用リブ９Ａ，９Ｂと、摘み部７Ａ，７Ｂに形成された第１穴部８，８と、から構成されている。摘み部７Ａ，７Ｂの第１穴部８，８は挟み部６Ａ，６Ｂの先端から比較的離れた位置にあり、挟み部６Ａ，６Ｂは側面から視て円弧状に形成されている。枢支軸１０は、挟み片３０Ａの軸受用リブ９Ａ，９Ａに貫通して形成された軸穴２６Ａ，２６Ａと、挟み片３０Ｂの軸受用リブ９Ｂ，９Ｂに貫通して形成された軸穴２６Ｂ，２６Ｂと、に挿通される。これらの挟み片３０Ａ，３０Ｂは、ズボン６０(図７参照)や持ち物などを挟持するようになっている。
【００２５】
前記の固定構造４は、固定部４Ａと固定部４Ｂとから構成されている。固定部４Ａは、挟み具３における一方の挟み片３０Ｂの摘み部７Ｂに保持リング体２を固定するための面ファスナ２２で構成されている。固定部４Ｂは、挟み片３０Ｂの挟み部６Ｂに保持リング体２を固定するための面ファスナ２３と、面ファスナ２３による固定を強固にするため及びズボン６０への挟持力を強くするための小幅の面ファスナ２４，２４と、から構成されている。これらの面ファスナ２２，２３，２４も、面ファスナ２１と同質のものを使用している。すなわち、固定部４Ａ，４Ｂは、挟み具３における一方の挟み片３０Ｂの表面に保持リング体２が直に接した状態で、挟み片３０Ｂの前後２カ所の部位で保持リング体２を固定している。特に、前側の固定部４Ｂは、挟み片３０Ｂの挟み部６Ｂに保持リング体２を固定している。
【００２６】
この傘保持具１は、図５に示すような、展開部品を組み立てて製作される。
まず、保持リング体２を構成する面ファスナ２１が、ループ部５Ａの面を上にした状態で挟み具３の挟み片３０Ｂの表面（図中では下側の面）に直に当てがわれる。次に、挟み片３０Ｂの摘み部７Ｂの位置において、面ファスナ２１および摘み部７Ｂが共に、ループ部５Ａの面を上にした面ファスナ２２で巻かれ、面ファスナ２２の一端のループ部５Ａが末端の鉤部５Ｂに係止されて固定される。このとき、面ファスナ２１の下面側の鉤部５Ｂが面ファスナ２２のループ部５Ａと係合して強固に固定される。これにより、１つ目の固定構造４Ａができ上がる。続いて、挟み片３０Ｂの挟み部６Ｂおよび面ファスナ２１が共に、挟み部６Ｂの横長手方向の全周にわたり、鉤部５Ｂを外側にした面ファスナ２３が巻き回される。そして、面ファスナ２１の左右両側方位置で、挟み部６Ｂおよび面ファスナ２３が共に、面ファスナ２４，２４で巻かれて固定される。このとき、面ファスナ２３の鉤部５Ｂに面ファスナ２４，２４のループ部５Ａ，５Ａが係合して固定される。こうして、２つ目の固定構造４Ｂができ上がるのである。
以上のように、簡素、入手容易かつ安価な部品を用い、簡単かつ短時間の組立工程によって、傘保持具１が製作される。尚、面ファスナ２１の長さＮは、当然ながら環状につながれた保持リング体２の内周長よりも長い。そして、保持リング体２の内周長は、懐中電灯の胴部Ｌ（図６参照）を保持するに十分な長さも確保されている。この場合、挟み片３０Ａ，３０Ｂの挟み部６Ａ，６Ｂは、挟み片３０Ａ，３０Ｂの  一体連結方向（前後方向＝矢印ｎ方向）とは直角θの方向（左右方向＝矢印ｍ方向）に長く形成されている。また、保持リング体２は、挟み片３０Ａ，３０Ｂの一体連結方向（矢印ｎ方向）に沿う向きで固定される。すなわち、保持リング体２は、そのリング周方向が挟み部６Ａ，６Ｂに対し直交する向きに配置されている。
【００２７】
引き続き、前記のように製作された傘保持具１の作用を説明する。
まず、図６中の２点鎖線で示すように、傘Ｈの胴部、または傘Ｈの胴部を収容した傘袋Ｊを傘保持具１の挟み片３０Ｂの固定構造４の部位にあてがう。次に、２点鎖線で示した面ファスナ２１の切断端部２１Ａを矢印Ｅのように傘Ｈの胴部に押し当てる。そして、２点鎖線で示した面ファスナ２１の切断端部２１Ｂを矢印Ｆのように傘Ｈの胴部に近づける。更に、面ファスナ２１の切断端部２１Ｂの内面を矢印Ｇのように切断端部２１Ａ側の外面に押し付ける。すると、切断端部２１Ｂ側の鉤部５Ｂ，５Ｂ，５Ｂ，・・・が切断端部２１Ａ側のループ部５Ａ，５Ａ，５Ａ，・・・に係合して、切断端部２１Ｂが切断端部２１Ａに固定され、保持リング体２が実線で示すような環状になって内周長も短くなり、傘Ｈの胴部を確りと掴んで保持する。
【００２８】
続いて、図６のように傘Ｈを保持した傘保持具１は、図７に示すように、電車の座席Ｋに座った利用者Ｍのズボン６０を挟持する。この場合、傘Ｈの石突Ｈ１を電車の床上に置き、その状態で傘保持具１の位置する高さのズボン６０の部位を、挟み具３の挟み部６Ａ，６Ｂで挟みつけるのである。このように保持された傘Ｈは、傘保持具１における２カ所の固定部４Ａ，４Ｂと、床上に置かれた傘Ｈの石突Ｈ１との３点支持になるから、傘Ｈの支持状態の安定性が極めて高い。これにより、傘Ｈの滑り転倒を防ぐことができ、近隣の他者に迷惑をかけることを回避できる。傘袋Ｊ内に収容した傘Ｈを保持リング体２に保持させると、他者はもとより利用者自身のズボン６０も濡らすことなく快適に使用することができる。
【００２９】
そして、保持リング体２は、そのリング周方向が挟み部６Ａ，６Ｂに対し直交する向きで配置されているので、保持リング体２のリング内空間２７内に装入して保持させた傘Ｈを床上などに立てると、保持リング体２はそのリング周方向（矢印ｎ方向）が水平方向を向き、保持リング体２と直角θ向き（矢印ｍ方向）の挟み部６Ａ，６Ｂはその長手方向が垂直方向を向く。これにより、挟み部６Ａ，６Ｂの長手方向が、座っている利用者の下腿部と平行になるから、ズボン６０を簡単に挟みやすくなる。
【００３０】
また、固定構造４の固定部４Ｂが一方の挟み片３０Ｂの挟み部６Ｂに設けられているので、ズボン６０を挟んだときに、保持リング体２を固定している固定部４Ｂがズボン６０の間近に位置しているから、ズボン６０に対して保持リング体２がグラつくことがなく確りと定型性を保っている。これにより、保持リング体２に保持されている傘Ｈが床上に立てられても、傘Ｈはブラブラと揺れることがなく安定に直立している。このとき、挟み片３０Ｂおよび保持リング体２が介在するので、傘Ｈはズボン６０から少し離れている。加えて、前記のように傘Ｈが安定に直立している限り、傘Ｈの胴部が接するズボン６０の部位が僅かであることも併せて、ズボン６０が濡れることは殆どない。
【００３１】
以上に説明したように、この実施形態に係る傘保持具１では、挟み片３０Ｂと保持リング体２との固定状態が強固である。これにより、挟み具３に対して保持リング体２が揺れ動きにくいから、保持リング体２に保持された傘Ｈも揺れにくくなる。加えて、保持リング２に保持された傘Ｈの石突Ｈ１を床上に置くと、この石突Ｈ１と、傘保持具１の挟み具３の２点とを合わせた３点支持になるため、傘Ｈの支持状態の安定性が極めて高くなる。これにより、傘保持具１により保持された傘Ｈを電車内などで立てて両手を自由にしても、傘Ｈの滑り転倒を防ぐことができる。その結果、利用者自身の濡れはもとより近隣他者への迷惑も回避できる。
【００３２】
また、保持リング体２の内周長を可変に設定する内周長可変構造５の存在により、リング内空間２７に装入された傘Ｈの胴部の外周長に応じて、保持リング体２の内周長を変えられるので、内周長をしぼめた保持リング体２で傘Ｈの胴部を確りと掴んで保持することができる。そして、保持リング体２および内周長可変構造５が安価で入手容易な面ファスナ２１で構成されているので、ループ部５Ａと鉤部５Ｂとの係脱により保持リング体２の内周長を容易に調整することができ、安価に実現され得る。
【００３３】
尚、上記の実施形態では、保持リング体および固定構造の材料として面ファスナを用いた例を示したが、本発明の傘保持具はそれに限定されるものでない。図８に示した傘保持具１ａのように、例えばシリコンゴム製のバンド部材３４を保持リング体２ａの材料として用いることも可能である。このバンド部材３４は例えば旭電機化成社製の製品シリコンくるっとバンド：ＡＫＤ１０１０であり、可撓性を有する線条体３５と、線条体３５の外周面に線長手方向に所定間隔で周鍔状に形成された多数の係止用突起３６，３６，３６，・・・と、線条体３５の末端部に形成された穴受部３８と、穴受部３８に形成されていて線条体３５および係止用突起３６を挿通可能に、且つ、係止用突起３６を係脱自在に係止する係止用穴部３９と、を有している。すなわち、この傘保持具１ａの内周長可変構造５ａは、バンド部材３４の係止用突起３６と係止用穴部３９とから構成される。
【００３４】
そして、挟み具３における挟み片３０Ｂの挟み部６Ｂに、線条体３５および係止用突起３６を挿通可能な第１穴部８ａが貫通して形成されている。バンド部材３４は、先端部３７が挟み片３０Ｂの第１穴部８を通されて枢支軸１０近くの隙間を通過したのち第１穴部８ａから出される。そうして、バンド部材３４の線条体３５がその先端部３７から係止用穴部３９に挿通される。更に、いくつかの係止用突起３６，３６，３６，・・・が係止用穴部３９を通過し、所望の内周長となる位置の係止用突起３６が係止用穴部３９で係止される。これにより、バンド部材３４がリング状の保持リング体２ａとなる。このとき、挟み片３０Ｂの第１穴部８と第１穴部８ａの２カ所で、係止用突起３６がそれぞれ係合して、バンド部材３４が挟み片３０Ｂに固定される。すなわち、バンド部材３４の係止用突起３６と挟み片３０Ｂにおける挟み部６Ｂの第１穴部８ａとから成る１か所と、バンド部材３４の係止用突起３６と挟み片３０Ｂにおける摘み部７Ｂの第１穴部８とから成る１か所とから、固定構造４ａが構成される。
【００３５】
この傘保持具１ａによれば、簡素かつ安価な構成で入手容易なバンド部材３４を使用できるので、完成品がシンプルな外観かつ軽量となり、組み立てが簡単で安価な傘保持具１ａを提供することができる。そして、上記のバンド部材３４は保持リング体２ａおよび内周長可変構造５ａの双方を兼用できる。
【００３６】
また、上記では、一端部と他端部とが離れていて使用時に環状につながれる保持リング体１，１ａを例示したが、図９に示すような傘保持具１ｂも、本発明に含まれる。この傘保持具１ｂは、先の実施形態で登場した挟み具３と、後で詳述する保持リング体２ｂと、保持リング体２ｂを挟み具３の挟み片３０Ｂに２カ所で固定する固定構造４ｂと、挟み具５２と、から構成されている。挟み具３における挟み片３０Ｂの挟み部６Ｂには、第１穴部８ｂが貫通して形成されている。
【００３７】
前記の保持リング体２ｂは、常時環状につながった例えばシリコンゴム製のベルトリング４０で構成されている。ベルトリング４０には、挟み片３０Ｂの第１穴部８と対面する位置に第２穴部４２が貫通して形成されており、挟み片３０Ｂの第１穴部８ｂと対面する位置に第２穴部４１が貫通して形成されている。そして、ボルト体４５が第２穴部４２と第１穴部８に挿通されナット体４６で螺止されることにより、ベルトリング４０が挟み片３０Ｂの摘み部７Ｂに固定される。また、ボルト体４３が第２穴部４１と第１穴部８ｂに挿通されナット体４４で螺止されることにより、ベルトリング４０が挟み片３０Ｂの挟み部６Ｂに固定される。すなわち、第２穴部４２、第１穴部８、ボルト体４５およびナット体４６から成る固定部、および、第２穴部４１、第１穴部８ｂ、ボルト体４３およびナット体４４から成る固定部により、固定構造４ｂが構成される。
前記の挟み具５２は挟み具３とほぼ同じ構造を有しているが、挟み具３よりも小型に形成されている。この挟み具５２は、１対の挟み片４７Ａ，４７Ｂと、挟み片４７Ａ，４７Ｂを揺動自在に枢支する枢支軸５０と、枢支軸５０に装着されたコイルバネ５１と、から構成されている。挟み片４７Ａ，４７Ｂは、一端側の挟み部４９Ａ，４９Ｂと、他端側の摘み部４８Ａ，４８Ｂと、を備えている。
【００３８】
この傘保持具１ｂでは、ベルトリング４０の一部を手で摘んで、例えば図９中の矢印Ｐのように引き出し、引き出した部位を挟み具５２の挟み部４９Ａ，４９Ｂで挟む。これにより、ベルトリング４０の内周長が変わる。すなわち、挟み具５２と、挟み具５２により摘まれる可撓性を有するベルトリング４０とから、内周長可変構造５ｂが構成される。
この傘保持具１ｂによっても、ベルトリング４０が挟み具３の挟み片３０Ｂに２カ所で固定されているので、挟み具３と保持リング体２ｂとの固定状態が強固になっているから、傘保持具１ｂにより保持した傘Ｈを床上に立てて両手を離しても、傘Ｈが倒れることを防止できる。
【００３９】
そして、保持リング体２，２ａ，２ｂのリング内空間２７内に懐中電灯の胴部Ｌ（例えば図６参照）を装入し、内周長可変構造５，５ａ，５ｂを操作して内周長を短くすることにより、保持リング体２，２ａ，２ｂにより懐中電灯を保持させることができる。これにより、夜間の散歩やランニングなどの際の携行が可能になる。更には、保持リング体２および／または挟み具３に、蛍光剤を含浸させたり夜光塗料を塗布したりすることにより、夜間の遠くからでも利用者Ｍの存在を視認することができ、懐中電灯携行の効果をいっそう引き立てることができる。
また、折り畳んだ傘袋Ｊ（図９参照）を挟み具３の挟み部６Ａ，６Ｂに挟ませておくことにより、雨が降って傘Ｈを使用したときでも、即座に広げた傘袋Ｊ内に傘Ｈを収容しその状態で、傘保持具１，１ａ，１ｂの保持リング体２，２ａ，２ｂに保持させることができる。
【００４０】
続いて、本発明の最良の実施形態に係る傘保持具を図１０〜図１２に示す。図１０〜１２に示した傘保持具１ｃは、先の実施形態に既述したものと同質の挟み具３と、同じく既述した面ファスナ２１製の保持リング体２と、保持リング体２を挟み具３の挟み片３０Ｂに２カ所の固定部４Ａａ，４Ｂａで固定する固定構造４ｃと、から構成されている。挟み片３０Ｂの挟み部６Ｂには、第１穴部８ｃが貫通して形成されている。挟み片３０Ａ，３０Ｂの各表面には、化粧模様Ｐが印刷されている。
【００４１】
前記の保持リング体２には、挟み片３０Ｂの第１穴部８と対面する位置に第２穴部５７が貫通して形成されており、挟み片３０Ｂの第１穴部８ｃと対面する位置に第２穴部５８が貫通して形成されている。そして、ボルト体５６が第１穴部８と第２穴部５７とに挿通され、ナット体５５（例えば袋ナット）で螺止されることにより、保持リング体２が挟み片３０Ｂの摘み部７Ｂに固定される。一方、ボルト体５６が第１穴部８ｃと第２穴部５８とに挿通されナット体５５で螺止されることにより、保持リング体２が挟み片３０Ｂの挟み部６Ｂに固定される。すなわち、第２穴部５７、第１穴部８、ボルト体５６およびナット体５５から成る固定部４Ａａ、および、第２穴部５８、第１穴部８ｃ、ボルト体５６およびナット体５５から成る固定部４Ｂａにより、固定構造４ｃが構成される。すなわち、固定構造４ｃは、挟み片３０Ｂの挟み部６Ｂと摘み部７Ｂとに保持リング体２を固定している。上記のボルト体５６は比較的扁平なボルト頭にネジ回し用の溝５６Ａが刻設されているものであり、ナット体５５は袋ナット状に形成されていて頭部が溝無しの緩やかな曲面になっている。これらのボルト体５６およびナット体５５としては、例えば台紙加除式アルバム帳に用いられるボルト体およびナット体が好適である。
【００４２】
この傘保持具１ｃは、既述した傘保持具１の実施形態で記載した作用効果と同等の作用効果を奏することに加えて、見た目が良く安価で入手容易なボルト体５６およびナット体５５を用いたことにより、挟み具３に保持リング体２を比較的強固に固定することができる。特に、面ファスナ２１製の保持リング体２と、ボルト体５６およびナット体５５との組み合わせ構成は、軽量かつコンパクトで見栄えが良い。また、挟み具３の表面に化粧模様Ｐ，Ｐ，Ｐ，・・・が印刷されていることも併せて、商品化に適した傘保持具１ｃを実現できたのである。尚、ボルト体５６は、その溝無しの緩やかな曲面がリング内空間２７側に配置されるので、保持リング体２が傘Ｈを保持したときにボルト体５６の滑らかな曲面が傘Ｈの胴部に触れるから、傘Ｈの胴部に保持跡や傷をつけることが無い。
【００４３】
尚、上記した実施形態では、保持リング体２，２ａ，２ｂが挟み具３の挟み片３０Ｂに２カ所で固着されているが、本発明に係る傘保持具では、保持リング体は挟み片３０Ｂの２カ所以上で固定されていてもよい。あるいは、挟み具の挟み片における一体連結方向に直線状の部位に、接着剤などを用いて連続した線状に固定しても構わない。これらの構造によっても、挟み具の挟み片に保持リング体を安定して強固に固定することができ、挟み具に対して保持リング体が揺れ動きにくいから、保持した傘も揺れにくくなって傘の滑り転倒を防げるのである。
また、上記では、使用部品として、具体的な社名や製品名のものを例示したが、本発明はそれらに拘泥されない。すなわち、本発明の分野における通常の知識を有する者であれば想到し得る、各種変形、修正を含む、本発明の要旨を逸脱しない範囲の設計変更があっても、本発明に含まれることは言うまでもない。
【符号の説明】
【００４４】
１，１ａ，１ｂ，１ｃ  傘保持具
２，２ａ，２ｂ  保持リング体
３  挟み具
４，４ａ，４ｂ，４ｃ  固定構造
４Ａ，４Ｂ，４Ａａ，４Ｂａ  固定部
５，５ａ，５ｂ  内周長可変構造
５Ａ  ループ部
５Ｂ  鉤部
６Ａ，６Ｂ  挟み部
８，８ａ，８ｂ，８ｃ  第１穴部
２１，２２，２３，２４  面ファスナ
２７  リング内空間
３０Ａ，３０Ｂ  挟み片
３４  バンド部材
３５  線条体
３６  係止用突起
３９  係止用穴部
４０  ベルトリング
４１，４２，５７，５８  第２穴部
４３，４５，５６  ボルト体
４４，４６，５５  ナット体
５２  挟み具
６０  ズボン
Ｄ，Ｇ  矢印
Ｈ  傘
Ｈ１  石突
Ｌ  懐中電灯の胴部
Ｎ  長さ
ｍ，ｎ  矢印
【図１】
2017079987.tif 000003
【図２】
2017079987.tif 000004
【図３】
2017079987.tif 000005
【図４】
2017079987.tif 000006
【図５】
2017079987.tif 000007
【図６】
2017079987.tif 000008
【図７】
2017079987.tif 000009
【図８】
2017079987.tif 000010
【図９】
2017079987.tif 000011
【図１０】
2017079987.tif 000012
【図１１】
2017079987.tif 000013
【図１２】
2017079987.tif 000014